(57)【要約】【課題】利用者が特に意識しなくとも最適なボリュームにより利用することができるワイヤレス音声出力装置及びシステムを提供すること。【解決手段】本発明にかかるワイヤレス音声出力装置１１は、ＡＶ機器１２と無線通信を行うものである。ワイヤレス音声出力装置１１は、機器識別子１２３とボリューム値を接続履歴データベース１１６に格納する手段を有し、ワイヤレス音声出力装置１１は、ＡＶ機器１２と無線通信接続した後、機器識別子１２３を取得する手段と、機器識別子１２３に基づき、機器識別子１２３に対応するボリューム値を接続履歴データベース１１６から検索する手段と、ボリューム値に基づきボリュームを調整する手段とを備えるものである。【選択図】  図１
2005033236.tif 000002
【特許請求の範囲】
【請求項１】
音声信号生成装置と無線通信を行う、接続履歴データベースを有するワイヤレス音声出力装置であって、
前記ワイヤレス音声出力装置は、前記音声生成装置の機器識別子と当該機器識別子に対応する前記ワイヤレス音声出力装置のボリューム値を前記接続履歴データベースに格納する手段を有し、
前記ワイヤレス音声出力装置は、前記音声信号生成装置と無線通信接続した後、前記音声信号生成装置の前記機器識別子を取得する手段と、前記機器識別子に基づき、当該機器識別子に対応する前記ボリューム値を前記接続履歴データベースから検索する手段と、前記ボリューム値に基づきボリュームを調整する手段とを備えたワイヤレス音声出力装置。
【請求項２】
接続履歴データベースを有する音声信号生成装置と、前記音声信号生成装置と無線通信を行うワイヤレス音声出力装置を備えたワイヤレス音声出力システムであって、
前記音声信号生成装置は、前記ワイヤレス音声出力装置の機器識別子と前記ワイヤレス音声出力装置のボリューム値を前記接続履歴データベースに格納する手段を有し、
前記ワイヤレス音声出力装置は、前記音声信号生成装置と無線通信接続した後、前記ワイヤレス音声出力装置の機器識別子を含むボリューム取得要求を前記音声信号生成装置へ送信する手段を有し、
前記音声信号生成装置は、前記ボリューム取得要求を受信し、前記ボリューム取得要求に含まれる前記機器識別子に基づき、前記機器識別子に対応する前記ボリューム値を前記接続履歴データベースから検索する手段と、前記ボリューム値を前記ワイヤレス音声出力装置へ送信する手段を有し、
前記ワイヤレス音声出力装置は、前記ボリューム値を受信し、当該ボリューム値に基づきボリュームを調整する手段を備えたワイヤレス音声出力システム。
【請求項３】
音声信号生成装置と無線通信を行う、接続履歴データベースを有するワイヤレス音声出力装置であって、
前記ワイヤレス音声出力装置は、前記音声生成装置の機器識別子と前記ワイヤレス音声出力装置のボリューム値を前記接続履歴データベースに格納する手段を有し、
前記ワイヤレス音声出力装置は、前記接続履歴データベースから接続履歴リストを読み出す手段と、
前記接続履歴リストを表示する手段と、
前記表示された接続履歴リストから接続する音声信号生成装置を選択する手段と、
前記選択された音声信号生成装置と無線通信接続する手段を備えたワイヤレス音声出力装置。
【請求項４】
接続履歴データベースを有する音声信号生成装置と、前記音声信号生成装置と無線通信を行うワイヤレス音声出力装置を備えたワイヤレス音声出力システムであって、
前記音声信号生成装置は、前記ワイヤレス音声出力装置の機器識別子と前記ワイヤレス音声出力装置のボリューム値と前記音声信号生成装置のボリューム値を接続履歴データベースに格納する手段を有し、
前記ワイヤレス音声出力装置は、前記音声信号生成装置と無線通信接続した後、前記ワイヤレス音声出力装置の機器識別子を含むボリューム取得要求を前記音声信号生成装置へ送信する手段を有し、
前記音声信号生成装置は、前記ボリューム取得要求を受信し、前記ボリューム取得要求に含まれる前記機器識別子に基づき、前記機器識別子に対応する前記ワイヤレス音声出力装置のボリューム値と前記音声信号生成装置のボリューム値を前記接続履歴データベースから検索する手段と、前記ワイヤレス音声信号生成装置のボリューム値を前記ワイヤレス音声出力装置へ送信する手段と、前記音声信号生成装置のボリューム値に基づきボリュームを調整する手段を有し、
前記ワイヤレス音声出力装置は、前記ボリューム値を受信し、当該ボリューム値に基づきボリュームを調整する手段を備えたワイヤレス音声出力システム。
【請求項５】
音声信号生成装置と、前記音声信号生成装置と無線通信を行う、接続履歴データベースを有するワイヤレス音声出力装置を備えたワイヤレス音声出力システムであって、
前記ワイヤレス音声出力装置は、前記音声信号生成装置の機器識別子と前記ワイヤレス音声出力装置のボリューム値と前記音声信号生成装置のボリューム値を接続履歴データベースに格納する手段を有し、
前記ワイヤレス音声出力装置は、前記音声信号生成装置と無線通信接続した後、前記音声信号生成装置の機器識別子を取得する手段と、前記機器識別子に基づき、当該機器識別子に対応する前記ワイヤレス音声出力装置のボリューム値と前記音声信号生成装置のボリューム値を前記接続履歴データベースから検索する手段と、前記ワイヤレス音声出力装置のボリューム値に基づきボリュームを調整する手段と、前記音声信号生成装置のボリューム値を前記音声信号生成装置へ送信する手段を有し、
前記音声信号生成装置は、前記ボリューム値を受信し、当該ボリューム値に基づきボリュームを調整する手段を備えたワイヤレス音声出力システム。
【請求項６】
音声信号生成装置と、前記音声信号生成装置と無線通信を行う、接続履歴データベースを有するワイヤレス音声出力装置を備えたワイヤレス音声出力システムであって、
前記ワイヤレス音声出力装置は、前記音声信号生成装置の機器識別子と、前記音声信号生成装置と前記ワイヤレス音声出力装置のシステム全体のボリューム値を接続履歴データベースに格納する手段を有し、
前記ワイヤレス音声出力装置は、前記音声信号生成装置の機器識別子を取得する手段と、
前記音声信号生成装置のボリューム値を取得する手段と、
前記機器識別子に基づき、当該機器識別子に対応する前記システム全体のボリューム値を前記接続履歴データベースから検索する手段と、前記音声信号生成装置のボリューム値と前記システム全体のボリューム値に基づきボリュームを調整する手段とを備えたワイヤレス音声出力システム。
【請求項７】
接続履歴データベースを有する音声信号生成装置と、前記音声信号生成装置と無線通信を行うワイヤレス音声出力装置を備えたワイヤレス音声出力システムであって、
前記音声信号生成装置は、前記ワイヤレス音声出力装置の機器識別子と、前記音声信号生成装置と前記ワイヤレス音声出力装置のシステム全体のボリューム値を接続履歴データベースに格納する手段を有し、
前記音声信号生成装置は、前記ワイヤレス音声出力装置と無線通信接続した後、前記ワイヤレス音声出力装置の機器識別子を取得する手段と、
前記ワイヤレス音声出力装置のボリューム値を取得する手段と、
前記機器識別子に基づき、当該機器識別子に対応する前記システム全体のボリューム値を前記接続履歴データベースから検索する手段と、前記ワイヤレス音声出力装置のボリューム値と前記システム全体のボリューム値に基づきボリュームを調整する手段とを備えたワイヤレス音声出力システム。
【請求項８】
前記接続履歴データベースに格納されるシステム全体のボリューム値は、前記音声信号生成装置のボリューム値と前記ワイヤレス音声出力装置のボリューム値とを合計した絶対的なボリューム値であることを特徴とする請求項６又は７記載のワイヤレス音声出力システム。
【請求項９】
前記接続履歴データベースに格納されるシステム全体のボリューム値は、前記音声信号生成装置のボリューム値と前記ワイヤレス音声出力装置のボリューム値との割合である相対的なボリューム値であることを特徴とする請求項６又は７記載のワイヤレス音声出力システム。
【発明の詳細な説明】
【０００１】
【発明の属する技術分野】
本発明は、無線で受信した音声信号を再生する装置およびシステムに関して、特に利便性の良い装置に関する。
【０００２】
【従来の技術】
テレビやオーディオなどのＡＶ機器の音声を出力する装置にヘッドフォンやスピーカがある。これらは、ケーブル接続の煩わしさを解消し好きな場所に設置できるようにしたワイヤレス方式のものがある。
【０００３】
従来、ワイヤレス方式のヘッドフォンやスピーカから出力されるボリュームは、ヘッドフォンやスピーカ側で設定することができる。しかしこの設定値は、ヘッドフォンやスピーカ固有の値となるため、例えば、オーディオと接続し利用していたヘッドフォンを、そのままのボリューム設定でテレビに接続し利用しようとした場合には、再度ヘッドフォン側のボリューム設定を行わないと、最適な音量が得られない場合があるという欠点があった。
【０００４】
尚、無線通信装置間において、一方が保有する機能を他方からリモートで設定できるヘッドセットシステム（例えば、特許文献１参照）や、スピーカシステム（例えば、特許文献２参照）が提案されている。しかしながら、装置の識別子や履歴情報については管理されていない。
【０００５】
【特許文献１】
特開２００３−１８２５１号公報
【０００６】
【特許文献２】
特開２００２−３４５０７０号公報
【０００７】
【発明が解決しようとする課題】
このように、従来のワイヤレス音声出力装置では、接続する機器ごとにボリュームを変更しなければならないという問題点があった。
【０００８】
本発明は、このような問題点を解決するためになされたもので、ワイヤレス音声出力装置及びシステムにおいて、利用者が特に意識しなくとも最適なボリュームにより利用することができるワイヤレス音声出力装置及びシステムを提供することを目的とする。
【０００９】
【課題を解決するための手段】
本発明にかかるワイヤレス音声出力装置は、音声信号生成装置（例えば、ＡＶ機器）と無線通信を行う、接続履歴データベースを有するワイヤレス音声出力装置であって、前記ワイヤレス音声出力装置は、前記音声生成装置の機器識別子と当該機器識別子に対応する前記ワイヤレス音声出力装置のボリューム値を前記接続履歴データベースに格納する手段を有し、前記ワイヤレス音声出力装置は、前記音声信号生成装置と無線通信接続した後、前記音声信号生成装置の前記機器識別子を取得する手段と、前記機器識別子に基づき、当該機器識別子に対応する前記ボリューム値を前記接続履歴データベースから検索する手段と、前記ボリューム値に基づきボリュームを調整する手段とを備えるものである。これにより、機器毎に最適なボリュームを設定しておけば、通信接続の度にボリュームを変更することなく最適なボリュームでワイヤレス音声出力装置を利用することができる。
【００１０】
本発明にかかるワイヤレス音声出力装置は、接続履歴データベースを有する音声信号生成装置と、前記音声信号生成装置と無線通信を行うワイヤレス音声出力装置を備えたワイヤレス音声出力システムであって、前記音声信号生成装置は、前記ワイヤレス音声出力装置の機器識別子と前記ワイヤレス音声出力装置のボリューム値を前記接続履歴データベースに格納する手段を有し、前記ワイヤレス音声出力装置は、前記音声信号生成装置と無線通信接続した後、前記ワイヤレス音声出力装置の機器識別子を含むボリューム取得要求を前記音声信号生成装置へ送信する手段を有し、前記音声信号生成装置は、前記ボリューム取得要求を受信し、前記ボリューム取得要求に含まれる前記機器識別子に基づき、前記機器識別子に対応する前記ボリューム値を前記接続履歴データベースから検索する手段と、前記ボリューム値を前記ワイヤレス音声出力装置へ送信する手段を有し、前記ワイヤレス音声出力装置は、前記ボリューム値を受信し、当該ボリューム値に基づきボリュームを調整する手段を備えるものである。これにより、機器毎に最適なボリュームを設定しておけば、通信接続の度にボリュームを変更することなく最適なボリュームでワイヤレス音声出力装置を利用することができる。
【００１１】
本発明にかかるワイヤレス音声出力装置は、音声信号生成装置と無線通信を行う、接続履歴データベースを有するワイヤレス音声出力装置であって、前記ワイヤレス音声出力装置は、前記音声生成装置の機器識別子と前記ワイヤレス音声出力装置のボリューム値を前記接続履歴データベースに格納する手段を有し、前記ワイヤレス音声出力装置は、前記接続履歴データベースから接続履歴リストを読み出す手段と、前記接続履歴リストを表示する手段と、前記表示された接続履歴リストから接続する音声信号生成装置を選択する手段と、前記選択された音声信号生成装置と無線通信接続する手段を備えるものである。これにより、接続履歴リストから選択して、最適なボリュームでワイヤレス音声出力装置を利用することができる。
【００１２】
本発明にかかる、接続履歴データベースを有する音声信号生成装置と、前記音声信号生成装置と無線通信を行うワイヤレス音声出力装置を備えたワイヤレス音声出力システムであって、前記音声信号生成装置は、前記ワイヤレス音声出力装置の機器識別子と前記ワイヤレス音声出力装置のボリューム値と前記音声信号生成装置のボリューム値を接続履歴データベースに格納する手段を有し、前記ワイヤレス音声出力装置は、前記音声信号生成装置と無線通信接続した後、前記ワイヤレス音声出力装置の機器識別子を含むボリューム取得要求を前記音声信号生成装置へ送信する手段を有し、前記音声信号生成装置は、前記ボリューム取得要求を受信し、前記ボリューム取得要求に含まれる前記機器識別子に基づき、前記機器識別子に対応する前記ワイヤレス音声出力装置のボリューム値と前記音声信号生成装置のボリューム値を前記接続履歴データベースから検索する手段と、前記ワイヤレス音声信号生成装置のボリューム値を前記ワイヤレス音声出力装置へ送信する手段と、前記音声信号生成装置のボリューム値に基づきボリュームを調整する手段を有し、前記ワイヤレス音声出力装置は、前記ボリューム値を受信し、当該ボリューム値に基づきボリュームを調整する手段を備えるものである。これにより、機器毎に最適なボリュームを設定しておけば、通信接続の度にボリュームを変更することなく最適なボリュームでワイヤレス音声出力システムを利用することができる。
【００１３】
本発明にかかるワイヤレス音声出力システムは、音声信号生成装置と、前記音声信号生成装置と無線通信を行う、接続履歴データベースを有するワイヤレス音声出力装置を備えたワイヤレス音声出力システムであって、前記ワイヤレス音声出力装置は、前記音声信号生成装置の機器識別子と前記ワイヤレス音声出力装置のボリューム値と前記音声信号生成装置のボリューム値を接続履歴データベースに格納する手段を有し、前記ワイヤレス音声出力装置は、前記音声信号生成装置と無線通信接続した後、前記音声信号生成装置の機器識別子を取得する手段と、前記機器識別子に基づき、当該機器識別子に対応する前記ワイヤレス音声出力装置のボリューム値と前記音声信号生成装置のボリューム値を前記接続履歴データベースから検索する手段と、前記ワイヤレス音声出力装置のボリューム値に基づきボリュームを調整する手段と、前記音声信号生成装置のボリューム値を前記音声信号生成装置へ送信する手段を有し、前記音声信号生成装置は、前記ボリューム値を受信し、当該ボリューム値に基づきボリュームを調整する手段を備えるものである。これにより、機器毎に最適なボリュームを設定しておけば、通信接続の度にボリュームを変更することなく最適なボリュームでワイヤレス音声出力システムを利用することができる。
【００１４】
本発明にかかるワイヤレス音声出力システムは、音声信号生成装置と、前記音声信号生成装置と無線通信を行う、接続履歴データベースを有するワイヤレス音声出力装置を備えたワイヤレス音声出力システムであって、前記ワイヤレス音声出力装置は、前記音声信号生成装置の機器識別子と、前記音声信号生成装置と前記ワイヤレス音声出力装置のシステム全体のボリューム値を接続履歴データベースに格納する手段を有し、前記ワイヤレス音声出力装置は、前記音声信号生成装置の機器識別子を取得する手段と、前記音声信号生成装置のボリューム値を取得する手段と、前記機器識別子に基づき、当該機器識別子に対応する前記システム全体のボリューム値を前記接続履歴データベースから検索する手段と、前記音声信号生成装置のボリューム値と前記システム全体のボリューム値に基づきボリュームを調整する手段とを備えるものである。これにより、システム全体で最適なボリュームでワイヤレス音声出力システムを利用することができる。
【００１５】
本発明にかかるワイヤレス音声出力システムは、接続履歴データベースを有する音声信号生成装置と、前記音声信号生成装置と無線通信を行うワイヤレス音声出力装置を備えたワイヤレス音声出力システムであって、前記音声信号生成装置は、前記ワイヤレス音声出力装置の機器識別子と、前記音声信号生成装置と前記ワイヤレス音声出力装置のシステム全体のボリューム値を接続履歴データベースに格納する手段を有し、前記音声信号生成装置は、前記ワイヤレス音声出力装置と無線通信接続した後、前記ワイヤレス音声出力装置の機器識別子を取得する手段と、前記ワイヤレス音声出力装置のボリューム値を取得する手段と、前記機器識別子に基づき、当該機器識別子に対応する前記システム全体のボリューム値を前記接続履歴データベースから検索する手段と、前記ワイヤレス音声出力装置のボリューム値と前記システム全体のボリューム値に基づきボリュームを調整する手段とを備えるものである。これにより、システム全体で最適なボリュームでワイヤレス音声出力システムを利用することができる。
【００１６】
また、前述の接続履歴データベースに格納されるシステム全体のボリューム値は、前記音声信号生成装置のボリューム値と前記ワイヤレス音声出力装置のボリューム値とを合計した絶対的なボリューム値であってもよい。これにより、システム全体で最適なボリュームでワイヤレス音声出力システムを利用することができる。
【００１７】
さらに、前述の接続履歴データベースに格納されるシステム全体のボリューム値は、前記音声信号生成装置のボリューム値と前記ワイヤレス音声出力装置のボリューム値との割合である相対的なボリューム値であってもよい。これにより、システム全体で最適なボリュームでワイヤレス音声出力システムを利用することができる。
【００１８】
【発明の実施の形態】
発明の実施の形態１．
図１は、本発明の実施の形態１にかかるワイヤレス音声出力システムの構成を示している。このワイヤレス音声出力システムは、図１に示されるように、ワイヤレス音声出力装置１１およびこれと無線によって対向通信するＡＶ機器１２を備えている。以下、ワイヤレス音声出力装置１１およびＡＶ機器１２の構成およびそれぞれの働きに付いて説明する。
【００１９】
ワイヤレス音声出力装置１１は、ＡＶ機器１２と無線により通信可能に接続され、ＡＶ機器１２から送信される音声信号を利用者へ出力する。ワイヤレス音声出力装置１１は、例えば、ヘッドフォンやスピーカ等でもよいし、マイクを備えたヘッドセット等でもよい。また、ワイヤレス音声出力装置１１は、図に示されるように、電源部１１１、無線通信部１１２、音声出力部１１３、ボリューム指定部１１４、制御部１１５及び接続履歴データベース１１６から構成される。また、音声出力部１１３は、音声信号の圧縮の有無などによって構成は異なってくるが、デジタル圧縮音声信号を再生出力する場合、例えば、図１に示されるように、音声Ｃｏｄｅｃ部１１３１、ＤＡ変換部１１３２、アンプ部１１３３及び電気音響変換部１１３４から構成される。これら各構成要素の働きは次のようなものである。
【００２０】
電源部１１１は、ワイヤレス音声出力装置１１を駆動する電流を供給するものである。電源部１１１は、例えば、電源や電源スイッチ等を備えている。電源は、一次電池や二次電池などでもよく、さらに、別の装置やコンセント等から供給されてもよい。
【００２１】
無線通信部１１２は、ＡＶ機器１２と無線通信可能に接続され、さらに、音声Ｃｏｄｅｃ部１１３１及び制御部１１５とも接続されている。無線通信部１１２は、ＡＶ機器１２と無線で音声信号や制御信号などを通信出来れば良く、例えば、赤外線や無線ＬＡＮ、Ｂｌｕｅｔｏｏｔｈ（登録商標）などにより通信を行ってもよい。例えば、無線通信部１１２は、無線アンテナや通信制御回路等を備えている。また、無線通信部１１２は、ＡＶ機器１２から受信した機器識別子１２３を制御部１１５へ出力したり、ＡＶ機器１２から受信した音声信号を、制御部１１５へ出力したりする。
【００２２】
音声出力部１１３は、無線通信部１１２及び制御部１１５と接続され、無線通信部１１２がＡＶ機器１２から受信した音声信号の仕様に合った物で、受信した音声信号を耳で聞こえる形式に出力可能な構成であればよい。ここでは、前述の要素を備えており、例えば、音声Ｃｏｄｅｃ部１１３１は、ＤＳＰ（Ｄｉｇｉｔａｌ  Ｓｉｇｎａｌ  Ｐｒｏｃｅｓｓｏｒ  ）等を備え、電気音響変換部１１３４は、スピーカ等を備えている。例えば、音声出力部１１３は、制御部１１５から音声信号が入力されると、音声Ｃｏｄｅｃ部１１３１において当該音声信号を伸張し、ＤＡ変換部１１３２において当該伸張されたデジタル信号をアナログ信号に変換し、アンプ部１１３３において当該アナログ信号である音声出力を設定されたボリュームに基づき増幅し、電気音響変換部１１３４において音として出力する。また、電気音響変換部１１３４においてボリューム調整されてもよい。さらに、音声出力部１１３は、制御部１１５からボリューム値が入力されると、アンプ部１１３３又は電気音響変換部１１３４において、当該ボリューム値で音を出力するように設定する。
【００２３】
ボリューム指定部１１４は、制御部１１５と接続され、利用者がボリュームを指定する部分である。例えば、スイッチやボタンなどでもよいし、ロータリー式やスライド式のスイッチでもよい。さらに、ＬＥＤや液晶画面等を備えたり、電源スイッチと一体構造のスイッチとしてもよい。例えば、ボリューム指定部１１４は、利用者が指定したボリュームを、ボリューム値に変換し、制御部１１５へ出力する。
【００２４】
制御部１１５は、無線通信部１１２、音声出力部１１３、ボリューム指定部１１４及び接続履歴データベース１１６と接続されている。制御部１１５は、接続履歴情報の管理やボリュームの調整等を行うものであり、例えば、ＣＰＵやメモリ等を備えている。制御部１１５は、例えば、無線通信部１１２から機器識別子１２３が入力されると、接続履歴データベース１１６より、機器識別子１２３を検索キーとして、機器識別子１２３に対応するボリューム値を検索し、該当するボリューム値を音声出力部１１３へ出力し設定する。また、制御部１１５は、ボリューム指定部１１４からボリューム値が入力されると、当該ボリューム値を音声出力部１１３へ出力し設定する。
【００２５】
接続履歴データベース１１６は、制御部１１５と接続されている。例えば、接続履歴データベース１１６は、不揮発性の記憶装置であり、ＲＯＭやメモリカード、ハードディスク等を備えている。接続履歴データベース１１６は、制御部１１５からの指示により、無線通信の対向ＡＶ機器１２の機器識別子１２３と、そのＡＶ機器１２と無線接続したときに設定したワイヤレス音声出力装置１１のボリューム値を記録する。また、接続履歴データベース１１６は、機器識別子１２３ごとに、決められた数の履歴を記録できるようにしてもよい。さらに、接続履歴データベース１１６は、機器識別子１２３及びボリューム値の他に、例えば、機器識別子１２３に対応した機器の一般名称、接続日時、接続していた時間、通信したデータの量や種類、接続した回数等の統計情報、接続失敗や通信障害等の障害情報、通信ログ等を含んでもよい。
【００２６】
次にＡＶ機器１２の構成およびその働きについて説明する。ＡＶ機器１２は、前述の通りワイヤレス音声出力装置１１と接続されている。ＡＶ機器１２は、音声信号を発生する装置であり、ワイヤレス音声出力装置１１と無線で音声信号や制御信号などを通信できれば良い。ＡＶ機器１２は、例えば、テレビやビデオデッキ、ＣＤ・ＭＤ・ＤＶＤプレイヤーなどのオーディオ機器、ＭＰ３（ＭＰＥＧ  Ａｕｄｉｏ  Ｌａｙｅｒ−３）などのデジタルＡＶデータを読み出すことの出来るパーソナルコンピュータや専用のプレイヤー、携帯電話端末やＰＳＨ端末などの移動体通信機器、電話機等でもよい。ＡＶ機器１２は、図１に示されるように、無線通信部１２１、信号解析部１２２及び機器識別子１２３から構成され、また、電源部や表示部、操作部、音声出力部等を備えてもよい。その他、ＡＶ機器１２が音声信号を生成するための音声信号生成部などの構成が必要となるが、その構成は対応する音声データのフォーマットなどによって異なる。本発明ではその構成は問わない。同様に、音声信号のフォーマットも問わない。
【００２７】
無線通信部１２１は、前述の無線通信部１１２と同様の要素であり、無線で音声信号や制御信号などを通信出来ればよい。無線通信部１２１は、例えば、信号解析部１２２と接続され、ワイヤレス音声出力装置１１から受信した制御信号を信号解析部１２２へ出力したり、信号解析部１２２から入力された制御信号をワイヤレス音声出力装置１１へ送信したりする。また、無線通信部１２１は、音声信号生成部等から入力された音声信号をワイヤレス音声出力装置１１へ送信する。
【００２８】
信号解析部１２２は、ワイヤレス音声出力装置１１から送信された制御信号を解析するものである。信号解析部１２２は、例えば、無線通信部１２１から機器識別子取得要求等の制御信号を入力されると、機器識別子１２３を取得し、無線通信部１２１へ当該機器識別子１２３を出力する。
【００２９】
機器識別子１２３は、各々のＡＶ機器１２の固体を識別できる情報であればよく、そのフォーマットは数値や文字列など何でも良い。また、機器識別子１２３は、暗号化などが施されそのままでは、認識できない値でもよい。例えば、機器識別子１２３は、ＲＯＭ等の不揮発性の記憶装置に格納されている。
【００３０】
次に、図２のフローチャートを用いて、本発明の実施の形態１にかかる具体的な処理を説明する。このフローチャートは、ワイヤレス音声出力装置１１のボリューム設定の処理を示している。
【００３１】
まず、ワイヤレス音声出力装置１１とＡＶ機器１２との無線通信の確立後に、制御部１１５は、ＡＶ機器１２の機器識別子１２３を取得する（Ｓ２０１）。この処理は、例えば、制御部１１５が、機器識別子取得要求等の制御信号を送信し、ＡＶ機器１２の信号解析部１２２が、前記制御信号を解析し、機器識別子１２３を送信する。無線通信部１１２はこれを受信し、制御部１１５は、当該機器識別子１２３を取得する。ここで、制御部１１５は、機器識別子１２３の値の有無やフォーマットチェックをしたり、ＡＶ機器１２からの応答をタイマー監視してもよい。制御部１１５は、これらの条件が全て正常ならば、取得成功としてもよいし、条件が１つでも異常ならば、取得失敗としてもよい。
【００３２】
機器識別子１２３の取得に成功した場合、制御部１１５は、前記機器識別子１２３を検索キーに用いて接続履歴データベース１１６を該当するレコードを検索する（Ｓ２０２）。このレコードは、機器識別子１２３とそれに対応するワイヤレス音声出力装置１１のボリューム値等を含んでいる。
【００３３】
前記機器識別子１２３に関するレコードが存在する場合、当該レコードよりボリューム値を取得する（Ｓ２０３）。制御部１１５は、当該ボリューム値に基づき、音声出力部１１３へボリューム値を出力し、ボリュームの設定を行う（Ｓ２０４）。例えば、ボリューム指定部１１４がボリュームのＬＥＤや液晶画面等のボリューム値の表示手段を備えていれば、制御部１１５は、ボリューム設定とともにボリューム指定部１１４へも出力し、ボリューム値を表示してもよい。
【００３４】
また、Ｓ２０１において、当該ＡＶ機器１２に機器識別子１２３がないなど何らかの理由で機器識別子１２３を取得できなかった場合や、Ｓ２０２において、当該ＡＶ機器１２と接続したことがないなどの理由で、接続履歴データベース１１６中に該当レコードが存在しなかった場合には、あらかじめ定められたボリューム値でボリュームの設定を行う（Ｓ２０５）。そして、その設定したボリューム値と機器識別子１２３とを新たに接続履歴データベース１１６へ登録する（Ｓ２０６）。このとき、機器識別子１２３が取得失敗しているならば、接続履歴データベース１１６へ登録しなくてもよい。また、登録すべき機器識別子１２３のレコードが既に存在する場合、当該レコードを上書きしてもよいし、複数のレコードとして登録してもよい。
【００３５】
続いて、ワイヤレス音声出力装置１１からの音声の出力は、Ｓ２０７及びＳ２０８の手順で行われる。ＡＶ機器１２が無線通信部１２１から送信した音声信号を無線通信部１１２で受信し、制御部１１５へ出力する（Ｓ２０７）。
【００３６】
そして、制御部１１５は、前記音声信号を音声Ｃｏｄｅｃ部１１３１に入力する。音声Ｃｏｄｅｃ部１１３１からの出力をＤＡ変換部１１３２に入力し、その出力をアンプ部１１３３に供給、電気音響変換部１１３４に出力することによって耳で聞こえる形で音声出力する（Ｓ２０８）。ここでは、ＡＶ機器１２から送信された音声信号が圧縮処理されていることを例としたが、ＡＶ機器１２とワイヤレス音声出力装置１１との間で互いに合意の取れた形式であればどのような音声信号でも構わない。ここで音声出力されるボリュームは、あらかじめＳ２０４あるいはＳ２０５で設定されたものである。
【００３７】
その後、制御部１１５が、ボリューム指定部１１４からの入力によってボリュームの変更を検出した場合には（Ｓ２０９）、新たにボリュームを設定し（Ｓ２０５）、接続履歴データベース１１６の更新を行う（Ｓ２０６）。
【００３８】
さらに、ＡＶ機器１２から切断要求を受信する等した場合、通信切断処理を行い（Ｓ２１０）、通信処理を終了する。
【００３９】
このような構成により、ワイヤレス音声出力装置１１に記憶された接続履歴データベース１１６を利用してボリュームの設定を自動的に行うことによって、ワイヤレス音声出力装置１１をそれまで利用していたＡＶ機器１２とは別のＡＶ機器１２に接続して利用する場合でも、最適なボリュームで聞くことが出来ると言う長所を有する。これは例えば、ワイヤレス音声出力装置１１をＣＤプレイヤーと接続し、大音量で聞いた後に、移動体通信システムと接続し通常の音量で利用したい場合などに便利である。
【００４０】
発明の実施の形態２．
図３は、本発明の実施の形態２にかかるワイヤレス音声出力システムの構成を示している。このワイヤレス音声出力システムは、図３に示されるように、ワイヤレス音声出力装置３１およびこれと無線によって対向通信するＡＶ機器３２を備えている。以下、ワイヤレス音声出力装置３１およびＡＶ機器３２の構成およびそれぞれの働きに付いて説明する。
【００４１】
ワイヤレス音声出力装置３１は、電源部３１１、無線通信部３１２、音声出力部３１３、ボリューム指定部３１４、制御部３１５、機器識別子３１６から構成される。音声出力部３１３は、図１の場合と同様、音声Ｃｏｄｅｃ部３１３１、ＤＡ変換部３１３２、アンプ部３１３３、電気音響変換部３１３４から構成されているが、その構成はＡＶ機器３２とワイヤレス音声出力装置３１とで通信される音声信号を再生出力出来る構成であれば良い。尚、電源部３１１、無線通信部３１２、音声出力部３１３及びボリューム指定部３１４の働きについては図１の場合と同様のため省略する。
【００４２】
制御部３１５は、図１の制御部１１５と同様の要素であり、後述するように、ＡＶ機器３２から取得したボリューム値を元に自身のボリューム設定を行うことと、ＡＶ機器３２が管理する接続履歴データベース３２３にアクセスし、データベースの更新を行わせることを特徴とする。
【００４３】
機器識別子３１６は、図１の機器識別子１２３と同様の要素であり、各々のワイヤレス音声出力装置３１の固体を識別するためのもので、その目的を果たせれば数値・文字列などそのフォーマットは問わない。
【００４４】
次にＡＶ機器３２の構成要素について説明する。ＡＶ機器３２は、無線通信部３２１、信号解析部３２２、接続履歴データベース３２３及び接続履歴データベース管理部３２４から構成される。無線通信部３２１および信号解析部３２２の働きについては、前述の図１と同様のためここでは省略する。
【００４５】
接続履歴データベース３２３は、図１の接続履歴データベース１１６と同様の要素であり、例えば、接続履歴データベース管理部３２４と接続されている。また、接続履歴データベース３２３は、ＡＶ機器３２がこれまで接続したことのあるワイヤレス音声出力装置３１の機器識別子３１６と、それに対するワイヤレス音声出力装置３１のボリューム値等を記憶している。
【００４６】
接続履歴データベース管理部３２４は、例えば、信号解析部３２２及び接続履歴データベース３２３と接続され、接続履歴データベース３２３の情報等を管理する。接続履歴データベース管理部３２４は、例えば、信号解析部３２２が無線通信部３２１を通じて受信した、ワイヤレス音声出力装置３１からの制御信号をトリガーにして、接続履歴データベース３２３の登録又は更新を実行する。
【００４７】
このような構成により、ワイヤレス音声出力装置３１のボリューム設定を、ワイヤレス音声出力装置３１の機器識別子３１６を検索キーとして、ＡＶ機器３２に登録された接続履歴データベース３２３から無線通信で読み出し設定することを特徴とする。
【００４８】
次に、図４のシーケンスを用いて、本発明の実施の形態２にかかる具体的な処理を説明する。このシーケンスは、ワイヤレス音声出力装置３１のボリューム設定の処理を示している。
【００４９】
図４（ａ）は、ＡＶ機器３２とワイヤレス音声出力装置３１が、過去に接続したことがあるなどの理由で、接続履歴データベース３２３に当該ワイヤレス音声出力装置３１のレコードが存在する場合の例である。
【００５０】
まず、ＡＶ機器３２とワイヤレス音声出力装置３１間の無線接続を確立する（Ｓ４０１）。この処理は、例えば、無線通信部３２１及び無線通信部３１２により実行される。また、ＡＶ機器３２が、ワイヤレス音声出力装置３１へ無線接続要求を送信することで無線接続を確立してもよいし、ワイヤレス音声出力装置３１からＡＶ機器３２へ、無線接続要求を送信してもよい。さらに、無線接続確立処理は、接続する通信プロトコル（例えば、無線ＬＡＮやＢｌｕｅｔｏｏｔｈ）等に従って、複数のシーケンスを実行してもよい。
【００５１】
その後、ワイヤレス音声出力装置３１は、ボリューム取得要求をＡＶ機器３２へ送信する（Ｓ４０２）。このボリューム取得要求は、ワイヤレス音声出力装置３１の機器識別子３１６を検索キーにボリューム値を検索するための制御信号である。従って、ボリューム取得要求には、機器識別子３１６が含まれている。この処理は、例えば、制御部３１５において、機器識別子３１６を取得し、無線通信部３１２を介してＡＶ機器３２へ送信される。
【００５２】
ＡＶ機器３２は、ワイヤレス音声出力装置３１からボリューム取得要求を受信すると、当該ボリューム取得要求に含まれる機器識別子３１６を検索キーに用いて接続履歴データベース３２３を検索する（Ｓ４０３）。この処理は、例えば、信号解析部３２２において、当該ボリューム取得要求を解析し、接続履歴データベース管理部３２４において検索処理が実行される。
【００５３】
ＡＶ機器３２は、検索した結果得られたレコードにより、ワイヤレス音声出力装置３１のボリューム値を取得し、当該ボリューム値をワイヤレス音声出力装置３１へ送信する（Ｓ４０３）。この処理は、例えば、信号解析部３２２において、接続履歴データベース管理部３２４から検索結果を入力され、無線通信部３２１を介して送信される。
【００５４】
そして、ワイヤレス音声出力装置３１は、ＡＶ機器３２からボリューム値を受信し、当該ボリューム値に基づき、ワイヤレス音声出力装置３１のボリュームの設定を行う（Ｓ４０５）。この処理は、例えば、制御部３１５において、無線通信部３１２からボリューム値が入力され、音声出力部３１３へボリューム値を出力し設定される。
【００５５】
図４（ｂ）は、ＡＶ機器３２とワイヤレス音声出力装置３１が、過去に接続したことがないなどの理由で、接続履歴データベース３２３に当該ワイヤレス音声出力装置３１のレコードが存在しない場合の例である。Ｓ４０１乃至Ｓ４０３は、図４（ａ）と同じ処理であり、簡単に説明する。
【００５６】
まず、ＡＶ機器３２とワイヤレス音声出力装置３１が、無線接続を確立する（Ｓ４０１）。その後、ワイヤレス音声出力装置３１は、ボリューム取得要求をＡＶ機器３２へ送信する（Ｓ４０２）。これを受信したＡＶ機器３２は、接続履歴データベース管理部３２４を通じて、接続履歴データベース３２３を検索する（Ｓ４０３）。
【００５７】
そして、ＡＶ機器３２は、Ｓ４０３で検索した結果、該当レコードが存在しないため、レコード無しをワイヤレス音声出力装置３１に送信する（Ｓ４０６）。また、該当レコードが存在しない場合、ＡＶ機器３２がレコード無しを送信せずに、ワイヤレス音声出力装置３１において応答監視タイマーのタイムアウト等によりレコード無しを検出してもよい。
【００５８】
ワイヤレス音声出力装置３１は、ＡＶ機器３２からレコード無しを受信すると、あらかじめ定められたボリューム値を用いてボリュームの設定を行う。このボリューム値は、ワイヤレス音声出力装置３１において定められた値を用いてもよいし、ＡＶ機器３２において定められた値を、ワイヤレス音声出力装置３１へレコード無しとともに通知し、当該通知された値を用いてもよい。
【００５９】
その後、ワイヤレス音声出力装置３１は、ＡＶ機器３２へデータベース登録要求を送信する（Ｓ４０８）。このデータベース登録要求は、Ｓ４０７で設定したボリューム値とワイヤレス音声出力装置３１の機器識別子３１６を接続履歴データベース３２３へ登録するための制御信号である。従って、データベース登録要求には、ボリューム値及び機器識別子３１６が含まれている。
【００６０】
ＡＶ機器３２は、ワイヤレス音声出力装置３１からデータベース登録要求を受信し、接続履歴データベース３２３へ当該ワイヤレス音声出力装置３１に関する情報を登録する（Ｓ４０９）。この処理は、例えば、受信したデータベース登録要求より、ボリューム値及び機器識別子３１６を取得し、当該機器識別子３１６をキーとして当該ボリューム値とともに、接続履歴データベース３２３へ登録する。
【００６１】
ワイヤレス音声出力装置３１を利用中にボリュームの変更がなされた場合は、Ｓ４０７と同様にボリュームが設定され、Ｓ４０８及びＳ４０９と同様に接続履歴データベース３２３への登録が行われる。また、ワイヤレス音声出力装置３１からの音声の出力は、図２のＳ２０７及びＳ２０８と同様の処理により行われる。
【００６２】
発明の実施の形態３．
図５は、本発明の実施の形態３にかかるワイヤレス音声出力システムの構成を示している。このワイヤレス音声出力システムは、図５に示されるように、ワイヤレス音声出力装置５１およびこれと無線によって対向通信するＡＶ機器５２を備えている。本発明の実施の形態３では、ワイヤレス音声出力装置５１が、図１のワイヤレス音声出力装置１１の構成に加えて表示部５１７と接続機器選択部５１８を有することを特徴とする。尚、ＡＶ機器５２は、図１のＡＶ機器１２と同様のため説明を省略する。
【００６３】
ワイヤレス音声出力装置５１は、電源部５１１、無線通信部５１２、音声出力部５１３、ボリューム指定部５１４、制御部５１５、接続履歴データベース５１６、表示部５１７及び接続機器選択部５１８から構成される。音声出力部５１３は、図１の場合と同様、音声Ｃｏｄｅｃ部５１３１、ＤＡ変換部５１３２、アンプ部５１３３、電気音響変換部５１３４から構成されているが、その構成はＡＶ機器５２とワイヤレス音声出力装置５１とで通信される音声信号を再生出力出来る構成であれば良い。尚、電源部５１１、無線通信部５１２、音声出力部５１３、ボリューム指定部５１４及び接続履歴データベース５１６の働きについては図１の場合と同様のため省略する。
【００６４】
制御部５１５は、図１の制御部１１５と同様の要素であり、後述するように、ＡＶ機器５２との接続処理において、接続履歴のリスト等を表示部５１７へ出力し、接続機器選択部５１８からの入力により選択されたＡＶ機器５２と接続処理を行うことを特徴とする。
【００６５】
表示部５１７は、制御部５１５と接続され、ワイヤレス音声出力装置５１が接続可能な、あるいは接続したことのあるＡＶ機器５２のリストを表示するものである。表示部５１７の代表的な例として、ＬＣＤ（Ｌｉｑｕｉｄ  Ｃｒｙｓｔａｌ  Ｄｉｓｐｌａｙ）等が挙げられる。
【００６６】
接続機器選択部５１８は、制御部５１５と接続され、利用者が表示部５１７に表示されたＡＶ機器５２のリストから、接続したいＡＶ機器５２を選択するためのものである。接続機器選択部５１８は、スイッチやボタン、タッチパネルなどでもよく、また、表示部５１７と同一の要素でもよい。
【００６７】
次に、図６のフローチャートを用いて、本発明の実施の形態３にかかる具体的な処理を説明する。このフローチャートは、ワイヤレス音声出力装置５１の無線通信接続の処理を示している。
【００６８】
まず、制御部５１５は、接続履歴データベース５１６に登録されているＡＶ機器５２の機器識別子を読み出す（Ｓ６１０）。この処理は、例えば、ワイヤレス音声出力装置５１の電源ＯＮや通信接続用スイッチの押下等を契機に実行される。このとき、接続履歴データベース５１６に存在する全てのレコードを読み出してもよいし、最新のレコードのみや任意の数のレコードを読み出してもよく、さらに、あらかじめ決められた機器識別子やＡＶ機器５２の機器名称等に該当するもののみを読み出してもよい。
【００６９】
過去に接続したことのあるＡＶ機器５２のレコードが存在した場合には、制御部５１５は、読み出したレコードによるＡＶ機器５２のリストを表示部５１７へ出力し、表示部５１７において当該リストを表示する（Ｓ６０２）。このとき、表示部５１７は、ＡＶ機器５２のリストとして、機器識別子そのままの値を表示してもよいし、ＡＶ機器５２の機器名称やボリューム値、接続日時等、その他接続履歴データベース５１６に格納されている情報を表示してもよい。また、表示部５１７は、リストの全てを表示してもよいし、あらかじめ決められた数のみを表示してもよく、さらに、後述するＳ６０５と同様なその他の接続可能機器とともに表示してもよい。リストを表示する順序は、接続日時や機器識別子、機器の一般名称等の昇順または降順でもよい。例えば、制御部５１５は、各々のレコードを識別するために、レコードにＩＤを付与し、表示部５１７は、このＩＤとともに表示してもよい。
【００７０】
利用者はこの表示されたリストの中から接続したいＡＶ機器５２を、接続機器選択部５１８を用いて選択する（Ｓ６０３）。例えば、接続機器選択部５１８は、選択されたレコードのＩＤを制御部５１５へ出力し、制御部５１５は、当該ＩＤをもとにどのレコードか認識してもよい。また、制御部５１５または接続機器選択部５１８において、利用者の選択を一定時間待ってもよいし、無限に待ち続けてもよい。一定時間待つ場合において、例えば、一定時間経過したとき、最新のレコードを選択したとして動作してもよいし、選択失敗と判断して、Ｓ６０１やＳ６０５、Ｓ６０６あるいは処理を終了してもよい。
【００７１】
そして、制御部５１５は、選択されたレコードの機器識別子のＡＶ機器５２との無線通信を接続する（Ｓ６０４）。この処理は、例えば、無線通信部５１２から、当該機器識別子を含む無線接続要求をＡＶ機器５２へ送信することにより行われてもよい。
【００７２】
Ｓ６０１において、過去に接続したことのあるＡＶ機器５２が存在しないなどの理由でレコードが存在しなかった場合には、ワイヤレス音声出力装置５１の周囲の無線通信接続可能なＡＶ機器５２を検索してもよい（Ｓ６０５）。この処理は、例えば、無線通信部５１２が、周囲に存在する全てのＡＶ機器５２に対し無線接続要求を送信しその応答を受信することで行ってもよいし、周囲のＡＶ機器５２からの無線接続要求の受信を一定時間待つことにより行ってもよい。
【００７３】
また、Ｓ６０１において、レコードが１件も存在しない場合に、ＡＶ機器５２から接続してもらう接続待ちの状態に移行しても良い（Ｓ６０６）。この処理は、Ｓ６０５においてＡＶ機器５２が得られなかった場合に、行ってもよい。この処理は、例えば、無線通信部５１２において、周囲のＡＶ機器５２から無線接続要求を待つことにより行われてもよい。また、無線接続要求を一定時間待ってもよいし、無限に待ち続けてもよい。
【００７４】
このような構成により、ワイヤレス音声出力装置５１が有する表示部５１７や接続機器選択部５１８等のインタフェースを用いて、ＡＶ機器５２と接続できるという特徴を有する。
【００７５】
発明の実施の形態４．
図７は、本発明の実施の形態４にかかるワイヤレス音声出力システムの構成を示している。このワイヤレス音声出力システムは、図７に示されるように、ワイヤレス音声出力装置７１およびこれと無線によって対向通信するＡＶ機器７２を備えている。本発明の実施の形態４では、ＡＶ機器７２が、図３のＡＶ機器３２の構成に加えてボリューム指定部７２５とボリューム調整手段７２６を有することを特徴とする。尚、ワイヤレス音声出力装置７１は、図３のワイヤレス音声出力装置３１と同様であり説明を省略する。
【００７６】
ＡＶ機器７２は、無線通信部７２１、信号解析部７２２、接続履歴データベース７２３、接続履歴データベース管理部７２４、ボリューム指定部７２５及びボリューム調整手段７２６から構成される。無線通信部７２１、信号解析部７２２、接続履歴データベース７２３、接続履歴データベース管理部７２４の働きについては、前述の図３と同様のためここでは省略する。
【００７７】
ボリューム指定部７２５は、図１のボリューム指定部１１４と同様の要素であり、利用者がボリュームを指定する部分で、スイッチやボタンなどが代表的である。また、ボリューム指定部７２５は、ボリューム調整手段７２６と接続されている。ボリューム指定部７２５は、例えば、利用者が指定したボリュームを、ボリューム値に変換し、ボリューム調整手段７２６へ出力する。
【００７８】
ボリューム調整手段７２６は、接続履歴データベース７２３及びボリューム指定部７２５と接続されている。ボリューム調整手段７２６は、例えば、ＡＶ機器７２の音声出力部とも接続されており、この音声出力部のボリュームの調整を行う。例えば、ボリューム調整手段７２６は、接続履歴データベース７２３あるいはボリューム指定部７２５からボリューム値を入力されると、当該ボリューム値に基づき、音声出力部のボリュームを設定する。
【００７９】
また、接続履歴データベース７２３は、ワイヤレス音声出力装置７１の機器識別子とワイヤレス音声出力装置のボリューム値に加えて、ＡＶ機器７２自身のボリューム値も登録されている。
【００８０】
次に、図８のシーケンスを用いて、本発明の実施の形態４にかかる具体的な処理を説明する。このシーケンスは、ＡＶ機器７２及びワイヤレス音声出力装置７１のボリューム設定の処理を示している。
【００８１】
図８（ａ）は、ＡＶ機器７２とワイヤレス音声出力装置７１が、過去に接続したことがあるなどの理由で、接続履歴データベース７２３に当該ワイヤレス音声出力装置７１のレコードが存在する場合の例である。Ｓ８０５以外の処理は、図４（Ａ）と同様であり、簡単に説明する。
【００８２】
まず、ＡＶ機器７２とワイヤレス音声出力装置７１が、無線接続を確立し（Ｓ８０１）、ワイヤレス音声出力装置７１は、ボリューム取得要求をＡＶ機器７２へ送信する（Ｓ８０２）。そして、ＡＶ機器７２は、接続履歴データベース管理部７２４を通じて、接続履歴データベース７２３を検索する（Ｓ８０３）。
【００８３】
ここで、検索して得られた該当レコードには、ワイヤレス音声出力装置７１のボリューム値に加えて、ＡＶ機器７２自身のボリューム値も含まれている。そして、ＡＶ機器７２は、当該レコードに含まれるワイヤレス音声出力装置７１のボリューム値をワイヤレス音声出力装置７１へ送信する（Ｓ８０４）。さらに、ＡＶ機器７２は、該当レコードに含まれるＡＶ機器７２のボリューム値に従い、ＡＶ機器７２のボリューム設定を行う（Ｓ８０５）。また、Ｓ８０４のボリューム値を受信したワイヤレス音声出力装置７１は、ワイヤレス音声出力装置７１のボリュームの設定を行う（Ｓ８０６）。
【００８４】
図８（ｂ）は、ＡＶ機器７２とワイヤレス音声出力装置７１が、過去に接続したことがないなどの理由で、接続履歴データベース７２３に当該ワイヤレス音声出力装置７１のレコードが存在しない場合の例である。Ｓ８０８以外の処理は、図４（ｂ）と同様であり、簡単に説明する。
【００８５】
まず、ＡＶ機器７２とワイヤレス音声出力装置７１が、無線接続を確立し（Ｓ８０１）、ワイヤレス音声出力装置７１は、ボリューム取得要求をＡＶ機器７２へ送信する（Ｓ８０２）。そして、ＡＶ機器７２は、接続履歴データベース管理部７２４を通じて、接続履歴データベース７２３を検索する（Ｓ８０３）。
【００８６】
ＡＶ機器７２は、Ｓ８０３で検索した結果、当該レコードが存在しないため、レコード無しをワイヤレス音声出力装置７１に送信する（Ｓ８０７）。さらに、ＡＶ機器７２は、あらかじめ定められたボリューム値を用いてボリュームの設定を行う（Ｓ８０８）。
【００８７】
また、Ｓ８０７のレコード無し受信したワイヤレス音声出力装置７１は、あらかじめ定められたボリューム値を用いてボリュームの設定を行う（Ｓ８０９）。その後、ワイヤレス音声出力装置７１は、ワイヤレス音声出力装置７１の機器識別子と設定したボリューム値を含むデータベース登録要求を、ＡＶ機器７２へ送信する（Ｓ８１０）。そして、ＡＶ機器７２は、データベース登録要求をを受信し、接続履歴データベース管理部７２４を通じて接続履歴データベース７２３へ当該ワイヤレス音声出力装置７１に関する情報を登録する（Ｓ８１１）。このとき、ＡＶ機器７２は、ワイヤレス音声出力装置７１の機器識別子と、ワイヤレス音声出力装置７１のボリューム値及びＡＶ機器７２のボリューム値を登録する。
【００８８】
ワイヤレス音声出力装置７１を利用中にＡＶ機器７２もしくはワイヤレス音声出力装置７１のボリュームの変更がなされた場合は、Ｓ８０８及びＳ８０９と同様にボリュームが設定され、Ｓ８１０及びＳ８１１と同様に接続履歴データベース７２３への登録が行われる。
【００８９】
このような構成において、ワイヤレス音声出力装置７１に加えてＡＶ機器７２自身のボリューム設定も行うことにより、最適なボリューム設定を行うことを特徴とするものである。
【００９０】
発明の実施の形態５．
図９は、本発明の実施の形態５にかかるワイヤレス音声出力システムの構成を示している。このワイヤレス音声出力システムは、図９に示されるように、ワイヤレス音声出力装置９１およびこれと無線によって対向通信するＡＶ機器９２を備えている。本発明の実施の形態５では、ＡＶ機器９２が、図１のＡＶ機器１２の構成に加えてボリューム指定部９２５とボリューム調整手段９２６を有することを特徴とする。
【００９１】
ワイヤレス音声出力装置９１については、図１のワイヤレス音声出力装置１１と同様であるため省略する。尚、接続履歴データベース９１６は、ＡＶ機器９２の機器識別子とワイヤレス音声出力装置のボリューム値に加えて、ＡＶ機器９２自身のボリューム値も登録されている。
【００９２】
ＡＶ機器９２は、無線通信部９２１、信号解析部９２２、機器識別子９２３、ボリューム調整手段９２４、ボリューム指定部９２５から構成される。無線通信部９２１、信号解析部９２２及び機器識別子９２３の働きについては、図１の無線通信部１２１、信号解析部１２２及び機器識別子１２３と同様であり、ボリューム調整手段９２４及びボリューム指定部９２５は、図７のボリューム調整手段７２６及びボリューム指定部７２５と同様であり、説明を省略する。
【００９３】
尚、ボリューム調整手段９２４は、ボリューム指定部９２５からの入力、もしくは無線通信部９２１で受信したボリューム設定要求をトリガーに、ＡＶ機器９２自身のボリュームを設定する。
【００９４】
本発明の実施の形態５においては、ＡＶ機器９２が、自身のボリュームをワイヤレス音声出力装置９１からの制御信号によって調整することと、ＡＶ機器９２とワイヤレス音声出力装置９１のボリューム値をワイヤレス音声出力装置９１の接続履歴データベース９１６に登録することによって、特定のＡＶ機器９２とワイヤレス音声出力装置９１の組み合わせにおけるおのおののボリュームを再現することを特徴とする。
【００９５】
次に、図１０のシーケンスを用いて、本発明の実施の形態５にかかる具体的な処理を説明する。このシーケンスは、ワイヤレス音声出力装置９１及びＡＶ機器９２のボリューム設定の処理を示している。
【００９６】
図１０（ａ）は、ＡＶ機器９２とワイヤレス音声出力装置９１が、過去に接続したことがあるなどの理由で、接続履歴データベース９１６に当該ＡＶ機器９２のレコードが存在する場合の例である。
【００９７】
まず、ＡＶ機器９２とワイヤレス音声出力装置９１が、無線接続を確立し（Ｓ１００１）、ワイヤレス音声出力装置９１は、ＡＶ機器９２に対し機器識別子取得処理を行う（Ｓ１００２）。この処理は図２のＳ２０１と同様である。そして、ワイヤレス音声出力装置９１は、取得した機器識別子９２３を検索キーに用いて、接続履歴データベース９１６を検索する（Ｓ１００３）。
【００９８】
ワイヤレス音声出力装置９１は、該当するレコードのワイヤレス音声出力装置９１のボリューム値とＡＶ機器９２のボリューム値を読み出す。ワイヤレス音声出力装置９１は、読み出した自身のボリューム値に従い、ワイヤレス音声出力装置９１のボリュームの設定を行う（Ｓ１００４）。
【００９９】
その後、ワイヤレス音声出力装置９１は、ボリューム設定要求をＡＶ機器９２へ送信する（Ｓ１００５）。このボリューム設定要求は、Ｓ１００３で読み出したＡＶ機器９２のボリューム値に従いＡＶ機器９２のボリュームを設定するための制御信号である。従って、ボリューム設定要求には、ＡＶ機器９２のボリューム値が含まれている。
【０１００】
ＡＶ機器９２は、ボリューム設定要求を受信し、当該ボリューム設定要求に含まれるＡＶ機器９２のボリューム値に従いＡＶ機器９２のボリュームを設定する（Ｓ１００６）。
【０１０１】
図１０（ｂ）は、ＡＶ機器９２とワイヤレス音声出力装置９１が、過去に接続したことがないなどの理由で、接続履歴データベース９１６に当該ワイヤレス音声出力装置９１のレコードが存在しない場合の例である。Ｓ１００１乃至Ｓ１００３は、図１０（ａ）と同じ処理であり、簡単に説明する。
【０１０２】
まず、ＡＶ機器９２とワイヤレス音声出力装置９１が、無線接続を確立し（Ｓ１００１）、ワイヤレス音声出力装置９１は、ＡＶ機器９２の機器識別子取得処理を行う（Ｓ１００２）。ワイヤレス音声出力装置９１は、取得した機器識別子９２３を検索キーに接続履歴データベース９１６を検索する（Ｓ１００３）。
【０１０３】
ここでは、当該レコードが存在しないため、ワイヤレス音声出力装置９１は、あらかじめ定めたボリューム値に従ってワイヤレス音声出力装置９１のボリュームを設定する（Ｓ１００７）。ワイヤレス音声出力装置９１は、ＡＶ機器９２に、ボリューム取得要求を送信する（Ｓ１００８）。このボリューム取得要求は、ＡＶ機器９２のボリューム値を取得するための制御信号である。
【０１０４】
ＡＶ機器９２は、ボリューム取得要求を受信し、ＡＶ機器９２のボリューム値を送信する（Ｓ１００９）。このボリューム値は、ＡＶ機器９２であらかじめ決められたボリューム値である。ＡＶ機器９２は、例えば、Ｓ１００８やＳ１００９を契機にあらかじめ決められたボリューム値をＡＶ機器９２に設定してもよいし、Ｓ１００２から一定時間経過後、ボリュームを設定してもよい。
【０１０５】
ワイヤレス音声出力装置９１は、ＡＶ機器９２のボリューム値を受信し、ＡＶ機器９２の機器識別子９２３と、ＡＶ機器９２のボリューム値およびワイヤレス音声出力装置９１のボリューム値を接続履歴データベース９１６に登録する（Ｓ１０１０）。
【０１０６】
その後、ＡＶ機器９２、もしくはワイヤレス音声出力装置９１のボリュームが利用者によって変更された場合も、Ｓ１０１０と同様に接続履歴データベース９１６の更新を行う。
【０１０７】
このような構成において、接続履歴データベース９１６にワイヤレス音声出力装置９１のボリューム値に加えてＡＶ機器９２のボリューム値も記録することによって、ＡＶ機器９２とワイヤレス音声出力装置９１、双方のボリューム設定を行うことを可能とし、より適切なボリュームを得ることを目的としたものである。
【０１０８】
その他の発明の実施の形態．
上述の例では、ワイヤレス音声出力装置とＡＶ機器に、各々独立したボリューム値を設定したが、一方の機器のボリューム値を考慮して、他方のボリューム値を設定してもよい。例えば、両方の機器のボリューム値を合わせた絶対的なボリューム値を１０と定めた場合、ＡＶ機器のボリューム値が３ならば、ワイヤレス音声出力装置のボリューム値を７としてもよい。また、相対的なボリューム値としてＡＶ機器を２、ワイヤレス音声出力装置を１と定めた場合、ＡＶ機器のボリューム値が８ならば、ワイヤレス音声出力装置のボリューム値を４としてもよい。さらに、使用する機器や機器間の距離などによって出力される音の大きさ等は異なるため、機器の特性や環境に合わせた係数を乗じてもよい。
【０１０９】
図１１及び図１２を用いて、両方の機器のボリューム値を考慮した場合のボリューム設定の処理について説明する。
【０１１０】
図１１は、ワイヤレス音声出力装置が、接続履歴データベースを備えている場合のフローチャートを示している。尚、この処理におけるワイヤレス音声通信システムは、図１に示されるワイヤレス音声出力装置１１及びＡＶ機器１２から構成されている。
【０１１１】
まず、ワイヤレス音声出力装置１１は、ＡＶ機器９２との無線通信の確立後に、ＡＶ機器１２の機器識別子１２３の取得処理を行う（Ｓ１１０１）。この処理は、図２のＳ２０１と同様である。機器識別子１２３の取得に成功した場合、ワイヤレス音声出力装置１１は、ＡＶ機器１２のボリューム値を取得する（Ｓ１１０２）。この処理は、図１０のＳ１００８と同様である。
【０１１２】
ＡＶ機器１２のボリューム値取得に成功すると、ワイヤレス音声出力装置１１は、機器識別子１２３を検索キーに用いて接続履歴データベース１１６を検索する（Ｓ１１０３）。ここで、接続履歴データベース１１６には、例えば、機器識別子１２３とともに、前述の絶対的なボリューム値や相対的なボリューム値が登録されていてもよい。ワイヤレス音声出力装置１１は、機器識別子１２３に関するレコードが存在する場合、Ｓ１１０２で取得したＡＶ機器１２のボリューム値に応じてボリューム値を決定し、ワイヤレス音声出力装置１１のボリュームを設定する（Ｓ１１０４）。ここで、ワイヤレス音声出力装置１１は、絶対的なボリューム値や相対的なボリューム値に基づき、ＡＶ機器１２のボリューム値に応じてボリューム値を決定してもよい。
【０１１３】
また、Ｓ１１０２において、ＡＶ機器１２のボリューム値取得に失敗した場合、機器識別子１２３に応じてボリュームを設定する（Ｓ１１０５）。
【０１１４】
さらに、Ｓ１１０１において、機器識別子１２３の取得に失敗した場合、あらかじめ定められたボリューム値でボリュームの設定を行い（Ｓ１１０６）、そのボリューム値と機器識別子１２３を接続履歴データベース１１６へ登録する（Ｓ１１０７）。これらの処理は、図２のＳ２０５及びＳ２０６と同様である。その後の音声信号受信（Ｓ１１０８）の処理についても、図２のＳ２０７と同様である。
【０１１５】
図１２は、ＡＶ機器が、接続履歴データベースを備えている場合のシーケンスを示している。尚、この処理におけるワイヤレス音声通信システムは、図７に示されるワイヤレス音声出力装置７１及びＡＶ機器７２から構成されている。
【０１１６】
図１２（ａ）は、ＡＶ機器７２とワイヤレス音声出力装置７１が、過去に接続したことがあるなどの理由で、接続履歴データベース７２３に当該ワイヤレス音声出力装置７１のレコードが存在する場合の例である。
【０１１７】
まず、ＡＶ機器７２とワイヤレス音声出力装置７１が、無線接続を確立する（Ｓ１２０１）。その後、ＡＶ機器７２は、ワイヤレス音声出力装置７１に対し機器識別子取得の処理を行う（Ｓ１２０２）。この処理は、図１０のＳ１００２と同様である。さらに、ＡＶ機器７２は、ワイヤレス音声出力装置７１へボリューム取得要求を送信し（Ｓ１２０３）、ワイヤレス音声出力装置７１は、ボリューム値を送信する（Ｓ１２０４）。これらの処理は、図１０のＳ１００８及びＳ１００９と同様である。
【０１１８】
ＡＶ機器７２は、ワイヤレス音声出力装置７１の機器識別子を検索キーに用いて、接続履歴データベース７２３を検索する（Ｓ１２０５）。ここで、接続履歴データベース７２３には、例えば、ワイヤレス音声出力装置７１の機器識別子とともに、前述の絶対的なボリューム値や相対的なボリューム値が登録されていてもよい。ＡＶ機器７２は、該当するレコードが存在する場合、Ｓ１２０４で取得したワイヤレス音声出力装置７１のボリューム値に応じてボリューム値を決定し、ＡＶ機器７２のボリュームを設定する（Ｓ１２０６）。ここで、ＡＶ機器７２は、絶対的なボリューム値や相対的なボリューム値に基づき、ワイヤレス音声出力装置７１のボリューム値に応じてボリューム値を決定してもよい。
【０１１９】
図１２（ｂ）は、ＡＶ機器７２とワイヤレス音声出力装置７１が、過去に接続したことがないなどの理由で、接続履歴データベース７２３に当該ワイヤレス音声出力装置７１のレコードが存在しない場合の例である。Ｓ１２０１乃至Ｓ１２０５は、図１２（ａ）と同じ処理であり、簡単に説明する。
【０１２０】
まず、ＡＶ機器７２とワイヤレス音声出力装置７１が、無線接続を確立し（Ｓ１２０１）、ＡＶ機器７２は、ワイヤレス音声出力装置７１に対し機器識別子取得の処理を行う（Ｓ１２０２）。ＡＶ機器７２は、ワイヤレス音声出力装置７１へボリューム取得要求を送信し（Ｓ１２０３）、ワイヤレス音声出力装置７１は、ワイヤレス音声出力装置７１のボリューム値を送信する（Ｓ１２０４）。
【０１２１】
ＡＶ機器７２は、ワイヤレス音声出力装置７１の機器識別子を検索キーに用いて、接続履歴データベース７２３を検索する（Ｓ１２０５）。ＡＶ機器７２は、該当するレコードが存在しないため、あらかじめ定められたボリューム値に従ってＡＶ機器７２のボリュームを設定する（Ｓ１２０６）。ここで、ＡＶ機器７２は、前述の絶対的なボリューム値や相対的なボリューム値をあらかじめ決めておきそれらの値に従ってボリュームを決定してもよい。そして、ＡＶ機器７２は、そのボリューム値とワイヤレス音声出力装置の機器識別子を接続履歴データベース７２３へ登録する（Ｓ１２０７）。このとき、ＡＶ機器７２は、前述の絶対的なボリューム値や相対的なボリューム値を登録してもよい。
【０１２２】
尚、上述の例では、ＡＶ機器とワイヤレス音声出力装置間は、無線通信接続としたが、ＵＳＢ（Ｕｎｉｖｅｒｓａｌ  Ｓｅｒｉａｌ  Ｂｕｓ）などの有線通信接続としてもよい。
【０１２３】
また、上述の例では、接続履歴データベースで管理し設定される情報としてボリューム値を例示したが、これに限らず、ヘッドセットのマイクのレベル等でもよいし、さらに、以前アクセスした電話番号やＵＲＬ（Ｕｎｉｆｏｒｍ  Ｒｅｓｏｕｒｃｅ  Ｌｏｃａｔｏｒ）として、自動的に接続するようにしてもよい。
【０１２４】
【発明の効果】
本発明によれば、利用者が特に意識しなくとも最適なボリュームにより利用することができるワイヤレス音声出力装置及びシステムを提供することができる。
【図面の簡単な説明】
【図１】本発明にかかるワイヤレス音声出力システムの構成図である。
【図２】本発明にかかるワイヤレス音声出力装置の処理を示すフローチャートである。
【図３】本発明にかかるワイヤレス音声出力システムの構成図である。
【図４】本発明にかかるワイヤレス音声出力システムの処理を示すシーケンス図である。
【図５】本発明にかかるワイヤレス音声出力システムの構成図である。
【図６】本発明にかかるワイヤレス音声出力装置の処理を示すフローチャートである。
【図７】本発明にかかるワイヤレス音声出力システムの構成図である。
【図８】本発明にかかるワイヤレス音声出力システムの処理を示すシーケンス図である。
【図９】本発明にかかるワイヤレス音声出力システムの構成図である。
【図１０】本発明にかかるワイヤレス音声出力システムの処理を示すシーケンス図である。
【図１１】本発明にかかるワイヤレス音声出力装置の処理を示すフローチャートである。
【図１２】本発明にかかるワイヤレス音声出力システムの処理を示すシーケンス図である。
【符号の説明】
１１  ワイヤレス音声出力装置
１２  ＡＶ機器
１１１  電源部
１１２  無線通信部
１１３  音声出力部
１１４  ボリューム指定部
１１５  制御部
１１６  接続履歴データベース
１２１  無線通信部
１２３  機器識別子
１２２  信号解析部
【図１】
2005033236.tif 000003
【図２】
2005033236.tif 000004
【図３】
2005033236.tif 000005
【図４】
2005033236.tif 000006
【図５】
2005033236.tif 000007
【図６】
2005033236.tif 000008
【図７】
2005033236.tif 000009
【図８】
2005033236.tif 000010
【図９】
2005033236.tif 000011
【図１０】
2005033236.tif 000012
【図１１】
2005033236.tif 000013
【図１２】
2005033236.tif 000014